(57)【特許請求の範囲】
【請求項１】
左右カップ部に縫着されて脇側から背面側へ延在する支持布は、カップ部の脇側上端点から脇線近傍までは上端ラインを下方へ急傾斜させていると共に脇線近傍から背面へ延在する背面部は細幅とし、
上記支持布の背面部の幅方向中心線がカップ部と接するＡ点と該支持布の背面中央に位置するＢ点とを結ぶ直線Ｌ１の１／２位置をＣ点とし、該Ｃ点とカップ部の脇側上端点Ｄとを結ぶ直線Ｓ１、上記Ｃ点より直線Ｓ１と同一寸法の直線Ｓ２がカップ部の脇側下部に当たる点をＥ点として、Ｃ点を頂点とする２等辺三角形Ｃ−Ｅ−Ｄを描き、頂点Ｃ点よりＤ−Ｅ間の直線Ｓ３へ下した垂線Ｌ２の延長線が上記直線Ｌ１と交差する角度θが１４゜＜θ＜２１゜の範囲となるように設定して、上記脇側上端ラインを上記直線Ｓ１に沿うように下方へ急傾斜させていると共に、脇側下端ラインは上記直線Ｓ２に沿うように設定していることを特徴とするストラップレス・ブラジャー。
【請求項２】
上記脇側上端ラインは上記Ｄ点からＣ点への１／２付近まで直線ラインＳ１に略一致させている請求項１に記載のストラップレス・ブラジャー。
【請求項３】
上記支持布の背面部の幅Ｗは１０ｍｍ〜４０ｍｍの範囲に設定している請求項１または請求項２に記載のストラップレス・ブラジャー。
【請求項４】
上記ブラジャーは後中央開閉タイプで、左右のカップ部に夫れ夫れ縫着される上記支持布は背面中央で留具により係止されるものであり、
上記背面中央位置Ｂ点は、上記留具が取り付けられる左右の支持布の背面側先端位置である請求項１乃至請求項３のいずれか１項に記載のストラップレス・ブラジャー。
【請求項５】
上記ブラジャーは前中央開閉タイプで、上記支持布の背面部は左右の脇側部に両端が連続するものであり、
上記背面中央位置Ｂ点は、上記背面部の長さ方向の大略１／２位置である請求項１乃至請求項３のいずれか１項に記載のストラップレス・ブラジャー。
【請求項６】
上記支持布は脇側部と背面部とを１枚布で形成している請求項１乃至請求項５のいずれか１項に記載のブラジャー。
【請求項７】
上記支持布は脇側部と背面部とをそれぞれ伸縮性を有する別布で形成して、縫着して一体化している請求項１乃至請求項５のいずれか１項に記載のブラジャー。
【請求項８】
上記左右のカップ部の前面側には、カップ部の下側縁に沿った幅２ｃｍ以下の土台布を縫着し、該土台布を上記支持布と縫着し、あるいは土台布と上記支持布とを連続布で形成している請求項１乃至請求項７のいずれか１項に記載のストラップレス・ブラジャー。
【請求項９】
上記左右のカップ部の前面側には土台布を縫着せず、左右カップ部を前中央連結布で縫着している請求項１乃至請求項７のいずれか１項に記載のストラップレス・ブラジャー。
【発明の詳細な説明】
【０００１】
【発明の属する技術分野】
本発明は肩紐を取り付けていないストラップレス・ブラジャーに関し、特に、カップ部の脇側に取り付ける支持布が外部に露出しにくいように面積を小さくしながら、カップ部を前倒れさせずに確実に支持できるようにしたものである。
【０００２】
【従来の技術】
肩が露出するタイプのアウターを着用した場合、ブラジャーは肩紐のないストラップレス・ブラジャーが着用される。
この種のストラップレス・ブラジャーは肩紐によりカップ部を上方へ引き上げて支持する力がないため、図９に示すように、カップ部１の脇側に縫着する支持布２は、カップ部１の脇側上端点Ｐ１から下端点Ｐ２にかけて幅広とし、背面側への引っ張り力を大として、カップ部１を支持している。
【０００３】
また、この種のストラップレス・ブラジャーとして、本出願人は特開２００１−８１６０９号を提供している。該ブラジャーは図１０に示すように、カップ部１を支持する左右のバック布２は上下２本のテープ３からなり、これらテープ３をリンク４を介してカップ部１に連結すると共に該２本のテープ３を背面側で係止用リンク５で結束し、着用者の動きに追従しやすい構成としている。
【０００４】
さらに、特開２００１−１１５３０５号で、図１１に示すように、カップ部１に縫着した脇側布に上下一対のテープ３’を連結し、これらテープ３’を背面中央で交差させた構成で、前開きタイプとされている。
【０００５】
【発明が解決しようとする課題】
近時、タンクトップ等のバストから上部が完全に露出すると共に背中上部も露出するタイプのアウターが着用される場合が増加している。さらに、アウターのトップも臍だしファッション等の流行により丈が短くなっている場合もあり、露出度が増加している場合がある。
上記バスト上部、背中上部が露出するタンクトップ等のアウターを着用する場合、上記図９、図１０、図１１のストラップレス・ブラジャーでは、いずれもカップ部の脇側上端点Ｐ１に脇側支持布やテープが縫着されているため、この脇側の支持布やテープがアウターよりもはみ出して外部に露出しやすく、背中側でも支持布が外部に露出し易くなる。
【０００６】
さらに、上記外観上の問題だけでなく、図９に示すように腋下近くに幅広の支持布が存在すると窮屈感が生じる問題がある。
また、図１１に示すブラジャーでは、身体を動かしたりする際、特に、ひねった動作をすると支持布の上下辺がにじり寄り着崩れが生じやすい欠点がある。
また、図１０に示すブラジャーでは、テープ状物により身体接触部に段差が発生しやすく、アウターに響きやすいと共に、腕を挙げるとテープ状物が上方に移動してアウターの脇部や背中部からテープ状物が露出しやすい問題もある。
【０００７】
カップに連結する支持布の脇側部を外部に露出させないようにするには、脇側部の上端ラインを急激に下降させる必要があり、かつ、背中側で露出させないようにするには、背面部の幅を細くする必要がある。
しかしながら、特に、支持布の脇側部の上端ラインを急激に下降させて支持布の面積を小さくすると、カップ部に対する側面、特に、側面上方の支持力が低減し、カップを肩紐により上方へ引っ張って支持する機能がないために、カップ部が安定保持されず、前倒しになってバストシルエットを美しく造形できない問題がある。
また、背面部も外部に露出しないように幅を細くすると、背面側への引っ張り力も低減し、この点からもカップ部の支持力が低下する。
さらに、丈の短いトップには、カップ部の前面下部に縫着する土台布を短くしたショートタイプのブラジャーが着用されるが、このショートタイプのブラジャーではカップ部を下方から支持する力が低下するため、カップ部がより前倒しになりやすい問題がある。
【０００８】
本発明は上記問題に鑑みてなされたもので、ストラップレス・ブラジャーにおいて、支持布の脇側上端ラインを急激に下降させて外部に露出しないようにし、さらに、背面部の幅を細くすると共にショートタイプのブラジャーとしても、カップ部が前倒れせずに安定保持できるようにすることを課題としている。
【０００９】
【課題を解決するための手段】
本発明者は、ブラジャーにおいて、脇側から背面側へと負荷される引張力が最も有効に作用させることができる方法について鋭意研究し、かつ、実験を重ねた結果、支持布の脇側上端ラインを急激に下降させてもカップ部を前倒れさせずに安定支持できるストラップレス・ブラジャーを開発した。
【００１０】
即ち、本発明は、左右カップ部に縫着されて脇側から背面側へ延在する支持布は、カップ部の脇側上端点から脇線近傍までは上端ラインを下方へ急傾斜させていると共に脇線近傍から背面へ延在する背面部は細幅とし、
上記支持布の背面部の幅方向中心線がカップ部と接するＡ点と該支持布の背面中央に位置するＢ点とを結ぶ直線Ｌ１の１／２位置をＣ点とし、該Ｃ点とカップ部の脇側上端点Ｄとを結ぶ直線Ｓ１、上記Ｃ点より直線Ｓ１と同一寸法の直線Ｓ２がカップ部の脇側下部に当たる点をＥ点として、Ｃ点を頂点とする２等辺三角形Ｃ−Ｅ−Ｄを描き、頂点Ｃ点よりＤ−Ｅ間の直線Ｓ３へ下した垂線Ｌ２の延長線が上記直線Ｌ１と交差する角度θが１４゜＜θ＜２１゜の範囲となるように設定して、上記脇側上端ラインを上記直線Ｓ１に沿うように下方へ急傾斜させていると共に、脇側下端ラインは上記直線Ｓ２に沿うように設定していることを特徴とするストラップレス・ブラジャーを提供している。
【００１１】
ブラジャーにおいては、支持布で背面側へ引く力は、上記支点Ｃとカップ部脇側上端点Ｄを結ぶ直線Ｓ１を一辺とする二等辺三角形を描き、該二等辺三角形の頂点となるＣ点から底辺への垂線Ｌ２の延長線に、支持布の背面側へ引く力の基準線とが一致した場合が最も有効となる。言い換えると、支持布の背面側へ引っ張る基準線（上記Ｌ１）を上記垂線に一致させると、カップ部を最小面積としてもバストに密着させることができる。
本発明のストラップレス・ブラジャーでは、肩紐によりカップ部を上方への引き上げて密着させる力はなく、支持布でカップ部を背面側に引っ張っることのみによってバストに密着させる必要があるため、二等辺三角形の垂線Ｌ２を基準線Ｌ１よりも背面側に向けて若干下方傾斜させた方が、カップ部上端点を背面側に引く力を強くでき、カップ部をバストに密着させる安定性を高めることができる。  本発明者は、上記下方傾斜角度θ（垂線Ｌ２の延長線が直線Ｌ１と交差する角度）が好ましい範囲について実験を重ねた結果、１４゜＜θ＜２１゜であることを知見した。
よって、上記二等辺三角形の直線Ｓ１にラインに脇側上端ラインに沿わせてもカップ部の脇側上端点をしっかりと背面側へ引くことができる。言い換えれば、この直線Ｓ１より上側へ脇側支持布を広げる必要はなく、直線Ｓ１のラインまで脇側上端ラインをカットしてもよい事となる。
また、基点Ｃとカップ部の脇側下端点Ｅとの結ぶ直線Ｓ２は、カップ部の下辺を背面側に引く力の基準ラインとなり、このラインに脇側下端ラインを沿わせることで、カップ部の下辺をしっかりと背面側へ引くことができる。
【００１２】
上記脇側上端点Ｄはカップ部のサイズ、形状等に応じて規定されるため、脇側上端ラインＳ１（Ｄ−Ｃを結ぶライン）はＣ点に応じて設定される。このＣ点は支持布の長さＬ１と幅Ｗにより定まるが、長さＬ１はサイズに応じて規定される。よって、支持布の背面部の幅Ｗに応じて変わるＣ点が定められると、脇側上端ラインＳ１が規定されることとなる。
【００１３】
よって、デザイン上の観点等から設定される上記幅に応じて、上記角度θが１４゜＜θ＜２１゜の関係を満たす相互位置関係が設定されると、上記直線Ｓ１に沿わせて脇側上端ラインを急激に下降させても、カップ部に前倒れを発生させず、安定支持できることは実験より知見したことである。
実験によれば、角度θが１４゜より小さいと、カップ部の上辺を背面側へ引く力が弱くなり、ブラジャーをしっかりと身体に巻き付けて安定させることができないことが判明している。
一方、θが２１゜を越えると脇側下辺を引く力が弱くなり、カップ部がバストに安定して密着できないことが判明している。
【００１４】
よって、Ｃ点とＤ点を結ぶ直線Ｓ１が、１４゜＜θ＜２１゜の関係を満たす位置関係となるようにすれば、直線Ｓ１に沿うように脇側上端ラインを設け、急激に下降したラインとしても、ブラジャーをバストに密着させた状態で安定支持出来る。
上記角度θは１８゜＜θ＜１９゜の範囲が最も好ましい。
【００１５】
上記脇側上端ラインは上記直線Ｓ１に完全に一致させてもよいが、上記Ｄ点からＣ点への１／２付近まで直線ラインＳ１に略一致させることにより、支持布が外部にはみ出して露出することを防止できる。
【００１６】
上記支持布の背面部の幅Ｗは、ブラジャーのサイズ、特に、カップ部のサイズに応じて変化するが、１０ｍｍ〜４０ｍｍ、好ましくは２０ｍｍ〜３７ｍｍの範囲に設定している。
【００１７】
上記ストラップレス・ブラジャーは後中央開閉タイプ、前中央開閉タイプのいずれにも適用できる。
後中央開閉タイプは、左右のカップ部に夫れ夫れ縫着される上記支持布は背面中央で留具により係止されるものであり、
上記背面中央位置Ｂ点は、上記留具が取り付けられる左右の支持布の背面側先端位置となる。
また、前中央開閉タイプは上記支持布の背面部は左右の脇側部に両端が連続するものであり、
上記背面中央位置Ｂ点は、上記背面部の長さ方向の大略１／２位置となる。より詳細には、Ｂ点は背面中央位置から正面カップ側に１ｃｍ程度寄せた位置に規定される。
【００１８】
さらに、上記支持布は脇側部と背面部とを１枚布で形成しても良いし、上記支持布は脇側部と背面部とを別布で形成して、縫着して一体化してもよい。
また、上記支持布の脇側部は伸びの無い素材で形成し、脇部を押さえる方がバストの脇流れを抑制できるために好ましい。よって、該脇側部に芯材等を挿入して補整機能を高めてもよい。
【００１９】
ストラップレス・ブラジャーにおいて、左右カップ部を下方より支持する土台布を長くしたロングタイプのブラジャーでは、下方からのカップ部の支持力が大きいが、土台布が無い場合あるいは土台布が小さいショートタイプのブラジャーでは下方からのカップ部の支持力が小さくなる。
本発明のストラップレス・ブラジャーでは、ショートタイプで下方からのカップ部の支持力が小さくとも、カップ部の下辺を脇側から背面側へ回して引く力が最も効果的に負荷されるように設定しているため、ショートタイプであってもカップ部が前倒れしないように安定支持することができる。
【００２０】
具体的には、左右のカップ部の前面側には、カップ部の下側縁に沿った幅２ｃｍ以内の土台布を縫着し、該土台布を上記支持布と縫着し、あるいは土台布と上記支持布とを連続布で形成しているショートタイプのストラップレス・ブラジャーに好適に適用できる。
上記のように土台布の幅を２ｃｍ以下とすると、脇側下側ラインは上記二等辺三角形の下辺Ｓ２と略平行とすることができる。
さらに、左右のカップ部の前面側には土台布を縫着せず、左右カップ部を前中央連結布で縫着しているショートタイプのストラップレス・ブラジャーにも好適に適用できる。
【００２１】
【発明の実施の形態】
以下、本発明の実施形態を図面を参照して説明する。
図１乃至図５は第１実施形態のストラップレス・ブラジャー（以下、ブラジャーと略称する）１０を示す。
ブラジャー１０は肩紐がなく、後中心開きで、且つ、土台部の短いショートタイプである。
【００２２】
上記ブラジャー１０は、左右カップ部１１（１１Ａ、１１Ｂ）と支持布１２とからなる。該支持布１２は、左右カップ部１１の脇線ライン(a)に縫着されるラインから略脇線ライン(b)までを脇側部１３、脇線ライン(b)から背面側に延在する背面部１４と、左右カップ部１１の下側周縁から前側周縁に縫着される土台部１５とからなる。
本実施形態では脇側部１３、背面部１４、土台部１５とからなる支持布１２を１枚布より連続して形成している。
【００２３】
上記脇側部１３の上端ライン(c)は、  カップ部の脇側上端点Ｄから脇線(b)の近傍までは下方へ急傾斜させている。
また、脇線(b)の近傍から背面へ延在する背面部１４はその幅Ｗを細幅とし、本実施形態では３７ｍｍとしている。
【００２４】
上記脇側部１３の上端ライン(c)は、背面部１４の長さＬ１と幅Ｗと、カップ部１１の脇側上端点Ｄの位置との下記の相関関係に基づいて力学的観点から定めている。
即ち、背面部１４の幅方向中心線Ｐがカップ部１１と接するＡ点と背面部１４の略背面中央に位置する先端のＢ点とを結ぶ直線Ｌ１の１／２位置をＣ点とし、該Ｃ点とカップ部１１の脇側上端点Ｄとを結ぶ直線Ｓ１とする。
上記Ｃ点より直線Ｓ１と同一寸法の直線Ｓ２がカップ部１１の脇側下部に当たる点をＥ点として、Ｃ−Ｄ−Ｅ点を頂点とする２等辺三角形を描く。
上記頂点Ｃ点よりＤ−Ｅ間の直線Ｓ３へ垂線Ｌ２を下し、この垂線Ｌ２の延長線が上記直線Ｌ１と交差する角度θが１４゜＜θ＜２１゜の範囲となるように設定し、脇側上端ライン(c)を上記直線Ｓ１に沿うように下方へ急傾斜させている。
本実施形態ではθ＝１８．５°としている。
【００２５】
詳細には、 脇側上端ライン(c)はＤ点からＣ点への１／２付近まで直線ラインＳ１に略一致させ、 背面部１４の上端ライン１４ａへと滑らかに湾曲させている。  また、脇側部１３の下端ライン(d)は、 上記直線Ｓ２に沿うように設定すると共に、背面部１４の下端ライン１４ｂへと滑らかに湾曲させている。
【００２６】
上記左右の背面部１４は先端Ｂ点にフック２０を取り付けた止め布２１を縫着して、左右のフック２０を互いに係止して開閉している。
また、脇側部１３に連続してカップ部１１の下側周縁に縫着される土台部１５のカップ下部１５ａは略２センチの長さとしている。左右のカップ下部１５ａの間に左右カップ部１１Ａ、１１Ｂの前側周縁に両側が縫着される連結部１５ｂを備えている。
【００２７】
なお、カップ部１１のサイズ、素材、切り替え型等は種々に変更され、カップ部１１の脇側上端点Ｄも変化する。また、カップ部１１の周縁にそってワイヤーを装着すると否とにかかわらず適用できる。
【００２８】
上記構成からなるブラジャー１０では、支持布１２の脇側部１３の上端ライン(c)は脇側上端点Ｄより急激に下降し、前記図９に示す従来のストラップレスブラジャーと比較して、図５中にクロス斜線で示す領域がカットされた形状となる。  また、脇側部１３の下端ライン(d)も従来よりも上向きに傾斜し、 図中クロス斜線で示す領域がカットされた形状となる。
また、 背面部１４の幅も上下両側がカットされて細幅となる。
【００２９】
脇側部１３の上端ライン(c)を急激に下降させると共に背面部１４の幅Ｗを細くしてもカップ部１１が前倒れせずにバストに密着した状態で安定保持されるのは下記の理由に因る。
【００３０】
背面部１４の幅方向中心線Ｐがカップ部１１を背面側へ引く力の基準線となり、この基準線上にカップ部１１を引く力を集中させると、カップ部１１に背面側への引く力を最も効果的に作用させることができる。
上記基準線となるＰの長さ方向の中心位置（略脇線ライン位置）のＣ点からカップ部１１の脇側上端点Ｄと下端点Ｅにかけて脇側部１３は略三角形に拡がるため、Ｃ点と脇側上端点Ｄを結ぶ直線Ｓ１が脇側上端点を背面側に最も強く引くラインとなる。よって、この直線Ｓ１に脇側上端ライン(c)を沿わせれば、 脇側上端点Ｄを前倒れさせることなくバストに密着させる力を生み出すことができる。
【００３１】
同様に、Ｃ点と脇側下端点Ｅを結ぶ直線Ｓ２が脇側下端点を背面側に最も強く引くラインとなる。よって、この直線Ｓ２に脇側下端ライン(ｄ)を沿わせれば、 脇側下端を脇線を越えて背面側に引き付ける力を生み出すことができる。
【００３２】
このように、従来と比較して脇線部の上部をカットしても、また、肩紐でカップ部を引き上げなくとも、さらに、カップ部の下部より丈の長い土台部で支持しなくとも、支持布１２の面積を小さくしながら、カップ部を支持布で背面側へ引く力を有効に負荷することで、カップ部１１に前倒れを発生させることなくバストに密着させることができる。
【００３３】
また、支持布１２の面積を小さくし、特に、脇側上端ライン(c)を急激に下降させているため、 脇側部１２がアウターよりはみ出して外部に露出することを防止できると共に、背面部１３の幅も狭くできるため、背中を大きく露出したアウターよりはみ出して外部に露出することを防止できる。
さらに、丈の短いトップを着用した場合にも、土台部１５を短くしているため、土台部１５が外部に露出することも防止できる。
【００３４】
かつ、腋下近傍を押さえる脇側部１３が小さくなるため、窮屈感や圧迫感を生じさせず、人体の動き、特に、腕の挙動に対応させることができる。
【００３５】
図６は第１変形例を示し、支持布１２’は土台部１５’と脇側部１３’を１枚の布で形成し、Ｃ点が存在する脇線ラインで別布からなる背面部１４’と縫着している。また、脇側部１３’には細幅の樹脂芯材３０をテープ内に封入して取り付けている。
他の構成は第１実施形態と同様であるため、説明を省略する。
このように、支持布１２’を分割して縫着しても、背面側に引く力は上記実施形態と同様に作用するため、カップ部１１を安定保持できる。
さらに、脇側に樹脂芯材３０を取り付けているため、脇側をしっかりと押さえることができ、バストの脇流れを抑制して、脇をすっきりとさせることができる。
なお、脇側部と背面部との縫着ラインからカップ部との縫着ラインとの間の領域の略全体に樹脂芯材や全く伸びのない素材を重ねて縫着する等により伸び止め部としてもよい。
さらに、脇側部の素材として、パワーを切り替えて編成した経編地を用い、脇側上部のパワーを下部より強くして、脇側部の素材自体でしっかりとカップ部をバストに密着させるようにしても良い。
【００３６】
図７は第２変形例を示し、左右の支持布１２”は土台部がなく、脇側部１３”と背面部１４”のみからなり１枚の伸縮性布で形成している。
カップ部１１の下端周縁には土台布を取り付けず、左右カップ部１１Ａと１１Ｂの前側周縁を中央連結布１７を介して連結している。他の構成は第１実施形態と同様であるため、説明を省略する。
【００３７】
このように、土台部を設けなくとも、脇側部１３”と背面部１４”によりカップ部を背面側へと引く力を効果的に作用させているため、カップ部１１をバストに密着させた状態で前倒れなく安定支持できる。
【００３８】
図８は第２実施形態を示し、前開きタイプで、土台部がないストラップレスブラジャーからなる。
上記ブラジャー２０では、支持布２１は両側の脇側部２２と中央背面部２３とを１枚の伸縮性布から形成し、脇側部２２をカップ部１１（１１Ａ，１１Ｂ）の脇側ラインに縫着し、脇側上端点Ｄに脇側部２２の上端ライン(c)の先端を連結し急激に下降させて背面部２３の上端ライン２３ａに連続させている点は同様である。
【００３９】
脇側部２２の上端ライン(c)、下端ライン(d)は第１実施形態と同様な寸法取りで設定しているため、説明を省略する。
なお、其の際、背面部２３は背面中央で分離していないため、背面部中央点（即ち、背面部２３の１／２位置）を上記Ｂ点としている。
【００４０】
カップ部１１の下端周縁には前記したように土台布を取り付けず、且つ、左右カップ部１１の前縁部にそれぞれフック２５を取り付けた中央連結布２４（２４Ａ、２４Ｂ）を縫着している。
【００４１】
この前開きタイプにおいても、カップ部１１は脇側に縫着した支持布２１による背面側に引く力でバストに密着した状態で安定支持される。
【００４２】
【発明の効果】
以上の説明より明らかなように、本発明のストラップレスブラジャーでは、カップ部を支持する支持布の面積を最小化し、特に、脇側部の上端ラインを急激に下降させても、該上端ラインを背面側へ引く力が最も有効に作用するラインと一致させているため、カップ部をバストに密着させて前倒れなく安定保持できる。
【００４３】
かつ、脇側部の下端ラインも背面側へと回して引く力が最も有効に作用するラインと一致させているため、カップ部および脇側部を位置ずれなく支持でき、着崩れを発生させず、バストを美しいシルエットに保つことができる。
【００４４】
このように、支持布の面積を小さくしているため、アウターからはみ出して外部に露出することを防止できる。かつ、脇側部の面積が小さいため、圧迫感や窮屈感もなく、挙動追従性にも優れた利点を有するものである。
【図面の簡単な説明】
【図１】  本発明の第１実施形態のストラップレスブラジャーの着用状態を示す斜視図である。
【図２】  上記ストラップレスブラジャーの正面図である。
【図３】  支持布の要部拡大図である。
【図４】  支持布の設計手法を示す説明図である。
【図５】  従来例と比較して示す図面である。
【図６】  第１実施形態の第１変形例を示す正面図である。
【図７】  第１実施形態の第２変形例を示す正面図である。
【図８】  第２実施形態の正面図である。
【図９】  従来例を示す図面である。
【図１０】  他の従来例を示す図面である。
【図１１】  他の従来例を示す図面である。
【符号の説明】
１０  ストラップレス・ブラジャー
１１（１１Ａ、１１Ｂ）  カップ部
１２  支持布
１３  脇側部
１４  背面部
１５  土台部
１７  中央連結布
(a)   カップ部の脇側ライン
(b)   脇線ライン
(c)   脇側上端ライン
(d)   脇側下端ライン
Ｗ  背面部幅
Ｄ  カップ部の脇側上端点，
Ｅ  カップ部の脇側下端点
Ｐ  背面部の幅方向中心線
Ｃ  背面部の長さ方向の１／２点
【図１】
0004148450.tif 000002
【図２】
0004148450.tif 000003
【図３】
0004148450.tif 000004
【図４】
0004148450.tif 000005
【図５】
0004148450.tif 000006
【図６】
0004148450.tif 000007
【図７】
0004148450.tif 000008
【図８】
0004148450.tif 000009
【図９】
0004148450.tif 000010
【図１０】
0004148450.tif 000011
【図１１】
0004148450.tif 000012